(57)【特許請求の範囲】
【請求項１】
少なくとも導体又は補助線材が強磁性体からなる強磁性絶縁電線と、磁石からなる結束材を用い、複数本の前記強磁性絶縁電線が前記結束材に吸引されて前記強磁性絶縁電線が結束していることを特徴とするワイヤーハーネス。
【請求項２】
前記結束材の外側に前記複数本の前記強磁性絶縁電線が配置されていることを特徴とする請求項１記載のワイヤーハーネス。
【請求項３】
前記複数本の強磁性絶縁電線の外側に結束材が配置されていることを特徴とする請求項１記載のワイヤーハーネス。
【請求項４】
前記結束材が、最大エネルギー積〔（ＢＨ）ｍａｘ〕が２ｋＪ／ｍ３以上の永久磁石からなることを特徴とする請求項１〜３のいずれか１項に記載のワイヤーハーネス。
【請求項５】
前記強磁性体が、比透磁率（μｒ）が２以上の高透磁率材料からなることを特徴とする請求項１〜４のいずれか１項に記載のワイヤーハーネス。
【発明の詳細な説明】
【技術分野】
【０００１】
本発明は、ワイヤーハーネスに関するものである。
【背景技術】
【０００２】
従来、自動車等の車両に用いられるワイヤーハーネス１００は、図８に示すように、複数の電線１０１を組み合わせて、電線１０１を束ねて構成されている。このワイヤーハーネス１００に用いられる電線１０１は、一般に、銅線やアルミニウム線等の導体１０２の周囲が、樹脂皮膜等の絶縁体１０３により被覆されているものである。
【０００３】
上記ワイヤーハーネス１００の電線を束ねるためには、例えばテープ等の結束材１０４を用いて、電線１０１の周囲を巻回している（例えば特許文献１参照）。
【０００４】
またワイヤーハーネス１００を車両等の所定の位置に組み付ける場合、図９（ａ）に示すように、クランプ１１０等の取り付け部材を使用してワイヤーハーネス１００を車両１１１に固定している（例えば特許文献２参照）。
【０００５】
またワイヤーハーネス１００は、図９（ｂ）に示すように、ホットメルト接着剤１１２を使用して、車両１１１に接着して固定する場合もある。
【先行技術文献】
【特許文献】
【０００６】
【特許文献１】特開２００３−２１７３５７号公報
【特許文献２】特開平１０−２０１０５８号公報
【発明の概要】
【発明が解決しようとする課題】
【０００７】
従来、ワイヤーハーネス１００を製造する場合、製造工程では電線を束ねるために、テープ等の結束材（拘束部材ということもある）１０４が必要となる。また、ワイヤーハーネス製造工程では、テープ等を巻く作業が必要であり、作業に手間がかかるという問題があった。
【０００８】
また従来、ワイヤーハーネス１００を車両１１１に組み付ける工程では、クランプ１１０やホットメルト接着剤１１２等の、ワイヤーハーネス１００以外の取り付け部材が必要となる。また、クランプ１１０を使用する場合は、クランプ１１０の車両１１１等への取り付け作業が必要であり、取り付けに手間がかかるという問題があった。また、ホットメルト接着剤１１２を使用する場合は、ホットメルト接着剤を塗る作業が必要であり、作業に手間がかかり、ホットメルト接着剤塗布装置等が必要となるという問題があった。
【０００９】
本発明は、上記従来技術の問題点を解決しようとするものであり、テープ巻等の手間のかかる結束材を使用せずに電線を束ねることが可能であり、車両等への取り付けが容易であるワイヤーハーネスを提供することを目的とする。
【課題を解決するための手段】
【００１０】
上記課題を解決するために本発明のワイヤーハーネスは、少なくとも導体又は補助線材が強磁性体からなる強磁性絶縁電線と、磁石からなる結束材を用い、複数本の前記強磁性絶縁電線が前記結束材に吸引されて前記強磁性絶縁電線が結束していることを要旨とするものである。
【００１１】
上記ワイヤーハーネスにおいて、前記結束材の外側に前記複数本の前記強磁性絶縁電線が配置されているように構成することができる。
【００１２】
上記ワイヤーハーネスにおいて、前記複数本の強磁性絶縁電線の外側に結束材が配置されているように構成することができる。
【００１３】
上記ワイヤーハーネスにおいて、前記結束材が、最大エネルギー積〔（ＢＨ）ｍａｘ〕が２ｋＪ／ｍ３以上の永久磁石からなることが好ましい。
【００１４】
上記ワイヤーハーネスにおいて、前記強磁性体が、比透磁率（μｒ）が２以上の高透磁率材料からなることが好ましい。
【発明の効果】
【００１５】
本発明のワイヤーハーネスは、少なくとも導体又は補助線材が強磁性体からなる強磁性絶縁電線と、磁石からなる結束材を用い、複数本の前記強磁性絶縁電線が前記結束材に吸引されて前記強磁性絶縁電線が結束していることにより、複数の強磁性電線が磁石に吸引されるので、容易に束ねることができる。強磁性電線を磁石に吸引させる作業は、従来のテープ巻き等に比較して作業が容易である。
【００１６】
また本発明のワイヤーハーネスは、車両等に配索して取り付ける場合、磁力により固定されるので、従来のワイヤーハーネスのように、クランプ、接着剤、ホットメルト接着剤塗布装置等が不要であり、部品点数を削減することができる。
【００１７】
更に本発明のワイヤーハーネスは、接着剤やクランプ等の取り付け作業が不要となるので、ハーネス配索作業の工数を低減することができ、車体等への取り付け作業も容易である。
【図面の簡単な説明】
【００１８】
【図１】本発明のワイヤーハーネスの一例を示す断面図である。
【図２】本発明のワイヤーハーネスの他の例を示し、（ａ）は斜視図であり、（ｂ）は（ａ）のＡ−Ａ線縦断面を示す断面図である。
【図３】本発明のワイヤーハーネスに用いられる強磁性絶縁電線の態様を示す断面図である。
【図４】（ａ）、（ｂ）は本発明のワイヤーハーネスに用いられる強磁性絶縁電線の態様を示す断面図である。
【図５】（ａ）、（ｂ）は本発明のワイヤーハーネスに用いられる強磁性絶縁電線の態様を示す断面図である。
【図６】図１のワイヤーハーネスの使用例を示す断面図である。
【図７】図２のワイヤーハーネスの使用例を示す断面図である。
【図８】従来のワイヤーハーネスを示す断面図である。
【図９】（ａ）、（ｂ）は従来のワイヤーハーネスの使用例を示す断面図である。
【発明を実施するための形態】
【００１９】
以下、本発明の実施例について図面を用いて詳細に説明する。図１は本発明のワイヤーハーネスの一例を示す断面図である。図１に示すワイヤーハーネス１０は、導電性を有する強磁性体からなる導体２が絶縁体３により被覆されている強磁性絶縁電線１を複数本（２１本）と、磁石からなる結束材５とを用いたものである。ワイヤーハーネス１０は、結束材５の外側周囲に複数本の強磁性絶縁電線１が配置されて結束されている。
【００２０】
結束材５は、断面形状が楕円形の線材として形成されている。図１のワイヤーハーネス１０は、結束材５の周囲に配置されている複数本の強磁性絶縁電線１が、中心の磁石からなる結束材５に吸引されることで、電線全体が結束されて、ワイヤーハーネス１０として形成されている。
【００２１】
図２（ａ）、（ｂ）は本発明のワイヤーハーネスの他の例を示し、（ａ）は斜視図であり、（ｂ）は（ａ）のＡ−Ａ線縦断面を示す断面図である。図２（ａ）、（ｂ）に示すワイヤーハーネス１０は、複数本の強磁性絶縁電線１の外側に、磁石からなる結束材５が配置されて、結束されているものである。図２に示すように、磁石からなる結束材５は、断面が円弧の一部となる凹状に形成された二つの磁石部材５ａ、５ｂを用い、凹部が対向するように配置し、磁石部材５ａ、５ｂの間に複数本の強磁性絶縁電線１を配置して結束している。
【００２２】
図２（ａ）、（ｂ）に示す二つに分割形成された磁石部材からなる結束材５は、電線長手方向の長さは特に限定されず、適宜の長さに形成することができる。結束材５は、強磁性絶縁電線の長手方向の所定の長さ毎に複数組配置して、複数本の強磁性絶縁電線１を結束することができる。
【００２３】
また本発明ワイヤーハーネスは、特に図示しないが、結束材５は３つ以上の磁石部材を組み合わせて構成してもよい。また、ワイヤーハーネス１０は、強磁性絶縁電線の本数についても特に限定されず２本以上であればよい。
【００２４】
図１に示すワイヤーハーネス１０の強磁性絶縁電線１は、強磁性体からなる導体２の周囲が非強磁性体からなる絶縁体３により被覆されている。図１の強磁性絶縁電線は、導体２が単線から構成されている。
【００２５】
強磁性絶縁電線１は、磁石からなる結束材５に吸引される強磁性絶縁電線として形成されている。導体２に用いられる強磁性体は、磁石からなる結束材５に吸引される材料であればよい。図１の導体２は、このような材料として高透磁率材料を用いた導体２ａとして形成されている。
【００２６】
導体２に用いる高透磁率材料は、強磁性絶縁電線１が磁石からなる結束材５に吸引されて確実に結束できるという点から、比透磁率（μｒ）が２以上であることが好ましい。更に好ましい導体２の高透磁率材料は、比透磁率（μｒ）が１０以上である。尚、比透磁率μｒは、下記式（１）で表わされる、材料の透磁率μと真空の透磁率μ０との比である。
μｒ＝μ／μ０      ・・・（１）
【００２７】
このような比透磁率（μｒ）が２以上である導体２の高透磁率材料としては、電磁軟鉄、Ｆｅ−Ｓｉ、Ｆｅ−Ａｌ、Ｆｅ−Ｃｏ−Ｖ、Ｆｅ−Ｓｉ−Ａｌ等の鉄及び鉄系合金、Ｆｅ−Ｎｉ、Ｆｅ−Ｎｉ−Ｍｎ、Ｆｅ−Ｎｉ−Ｍｏ、Ｆｅ−Ｎｉ−Ｃｒ−Ｃｕ、Ｆｅ−Ｎｉ−Ｎｂ等のパーマロイ系合金、Ｍｎ−Ｚｎ系、Ｎｉ−Ｚｎ系、Ｃｕ−Ｚｎ系等のフェライト化合物、Ｆｅ−Ｂ−Ｓｉ−Ｃ、Ｆｅ−Ｂ−Ｓｉ等のアモルファス化合物等が挙げられる。
【００２８】
磁石からなる結束材５は、最大エネルギー積〔（ＢＨ）ｍａｘ〕が、２ｋＪ／ｍ３以上である永久磁石を用いることが好ましい。結束材５として上記永久磁石を用いることにより、確実に複数本の強磁性絶縁電線１を結束してワイヤーハーネスを構成することができる。
【００２９】
更に好ましい永久磁石の最大エネルギー積は３ｋＪ／ｍ３以上である。
【００３０】
このような最大エネルギー積が〔（ＢＨ）ｍａｘ〕が、２ｋＪ／ｍ３以上の高保持力材料としては、マルテンサイト鋼、Ｆｅ−Ｃｒ−Ｃｏ、アルニコ、ストロンチウムフェライト（ＳｒＯ・６Ｆｅ２Ｏ３）、バリウムフェライト（ＢａＯ・６Ｆｅ２Ｏ３）等のフェライト、サマリウムコバルト（Ｓｍ２Ｃｏ１７）等の希土類コバルト、ネオジウム鉄、サマリウム鉄窒素等の希土類鉄等が挙げられる。
【００３１】
また上記磁石としては、ボンド磁石、プラスチック磁石、ゴム磁石等を用いることができる。これらは、最大エネルギー積〔（ＢＨ）ｍａｘ〕が、２ｋＪ／ｍ３以上である上記の高保持力材料の磁性粉末を、ゴム又はプラスチック等のバインダー樹脂中に分散したものである。上記バインダー樹脂としては、例えば、ポリアミド樹脂、エポキシ樹脂、ＰＰＳ樹脂、合成ゴム、ポリエチレン、ポリプロピレン、ＥＶＡ、ＥＭＡ、ＥＥＡ、ポリエステルエラストマー、ポリウレタンエラストマー、ＰＥＴ、ＰＢＴ、ＰＶＣ、ＰＶＤＦ、ＰＶＤＣ、塩素化ポリエチレン、ポリオレフィンエラストマー、スチレン系エラストマー等が挙げられる。
【００３２】
図１に示すワイヤーハーネスの強磁性絶縁電線１は、導体２が単線からなるものである。強磁性絶縁電線１は、導体２が複数の素線の集合体により構成されていてもよい。図３、図４（ａ）、（ｂ）は強磁性電線の他の態様を示す断面図である。図３の強磁性絶縁電線１は、導体２が複数（７本）の素線２１から構成されていて、絶縁体３により被覆されている。７本の素線２１は、全て強磁性体からなる素線２１である。
【００３３】
図４（ａ）の強磁性絶縁電線１は、導体２が７本の素線の集合体から構成されていて、絶縁体３に被覆されている。この導体２の７本の素線のうち、３本が強磁性体からなる素線２１であり、他の３本は非強磁性体からなる素線２２である。このように強磁性体からなる導体２は、強磁性体からなる素線２１と非強磁性体からなる素線２２の集合体から構成することができる。
【００３４】
また図４（ｂ）の強磁性絶縁電線１は、導体２が７本の素線の集合体から構成されていて、絶縁体３に被覆されている。この導体２の７本の素線のうち、中心の素線２１が強磁性体からなり、その周囲の６本の素線２２が非強磁性体から構成されている。このように導体２を複数本の素線の集合体から構成する場合、強磁性体の素線に、非強磁性体からなる素線を混在させてもよい。
【００３５】
図３、図４（ａ）、（ｂ）に示すように、強磁性絶縁電線１は、導体２が複数の素線から構成される場合、複数の素線の本数は特に限定されない。また素線の集合体は、単なる集合体、あるいは撚り線からなる集合体のいずれでもよい。
【００３６】
また非強磁性体からなる素線２２は、常磁性体、反磁性体等の強磁性体以外の導体であれば、用いることができる。
【００３７】
図５（ａ）〜（ｂ）は、本発明のワイヤーハーネスに用いる強磁性絶縁電線の他の態様を示す断面図である。強磁性絶縁電線１は、図５（ａ）、（ｂ）に示すように、導体２と補助線材４を絶縁体３により被覆して構成してもよい。補助線材４は、図５（ａ）に示すように、導体２とは並列に配置して絶縁体３に被覆されるように形成することができる。
【００３８】
また強磁性絶縁電線１の補助線材４は、図５（ｂ）に示すように、導体２を複数本から構成する場合、補助線材４を導体２の中心に配置して、複数の導体２が該補助線材４の周囲を囲むように配置してもよい。
【００３９】
補助線材４としては、例えば、ＳＵＳ線等からなる電線補強用のテンションメンバや、強磁性体を用いて電線に強磁性を付与するための強磁性線材等を用いることができる。このような補助線材４を用いて本発明の強磁性絶縁電線１を構成する場合、少なくとも導体２又は補助線材４が、強磁性体により構成されていればよい。
【００４０】
尚、補助線材４を強磁性体から構成し、導体２を非強磁性体から構成する場合、導体２は、アルミニウム、銅、それらの合金等の通常の電線導体を用いることができる。
【００４１】
補助線材４を強磁性体により構成する場合、補助線材４の材料は、比透磁率（μｒ）が２以上の高透磁率材料を用いることが好ましい。
【００４２】
補助線材４に高透磁率材料を用いる場合、上記した導体２で例示した材料が用いられる。尚、補助線材４に用いる高透磁率材料は、導体２の材料とは異なり、導電性のない高透磁率材料でも制限なく使用できる。
【００４３】
また非強磁性体からなる素線２２は、常磁性体、反磁性体等の強磁性体以外の導体であれば、用いることができる。
【００４４】
また導体２は、比抵抗が、１μΩｍ以下であることが好ましい。更に好ましい導体２の比抵抗は、０．５μΩｍ以下である。
【００４５】
本発明のワイヤーハーネスにおいて、強磁性絶縁電線１は、少なくとも導体２又は補助線材４に強磁性体を用いて構成したものであればよい。強磁性絶縁電線１の絶縁体３は、非強磁性体を用いても、強磁性体を用いてもいずれでもよい。
【００４６】
絶縁体３に強磁性体を用いる場合、絶縁体３は、比透磁率（μｒ）が２以上の高透磁率材料の粉末をゴム、プラスチック等のバインダー樹脂中に練り込んで分散したもの等を用いることができる。上記高透磁率材料の粉末は、導体２の比透磁率（μｒ）が２以上の高透磁率材料として例示したものを用いることができる。
【００４７】
ま上記バインダー樹脂としては、例えば、ポリアミド樹脂、エポキシ樹脂、ＰＰＳ樹脂、合成ゴム、ポリエチレン、ポリプロピレン、ＥＶＡ、ＥＭＡ、ＥＥＡ、ポリエステルエラストマー、ポリウレタンエラストマー、ＰＥＴ、ＰＢＴ、ＰＶＣ、ＰＶＤＦ、ＰＶＤＣ、塩素化ポリエチレン、ポリオレフィンエラストマー、スチレン系エラストマー等が挙げられる。
【００４８】
また絶縁体３に非強磁性体を用いる場合は、通常の絶縁電線の絶縁体として用いられる樹脂が用いられる。このような樹脂としては、上記のバインダー樹脂が挙げられる。
【００４９】
図６は図１のワイヤーハーネスの使用例を示す断面図である。図６に示すように、ワイヤーハーネス１０は、内側の磁石５の磁力により吸引されていると共に、磁力により鉄板等の車体２０に直接固定することができる。そのため従来のワイヤーハーネスのように、クランプ、ホットメルト接着剤、両面テープ等のワイヤーハーネスを固定するための固定部材が不要である。
【００５０】
また、車体２０等のワイヤーハーネスを固定するための所定の位置に、磁石を配置して貼り付けておいてもよい。この場合、車体２０の所定の位置の磁石に、ワイヤーハーネス１０が吸引されるので、正確な位置に固定することが容易である。
【００５１】
図７は図２のワイヤーハーネスの使用例を示す断面図である。図７に示すようにワイヤーハーネス１０は、強磁性絶縁電線１の外側に配置した磁石５ａ、５ｂの磁力により吸引されていて結束されている。更にワイヤーハーネス１０は、磁石５a、５ｂの磁力により、鉄板等の車体２０に直接固定することができる。そのため従来のワイヤーハーネスのように、クランプ、ホットメルト接着剤、両面テープ等のワイヤーハーネスを固定するための固定部材が不要である。
【００５２】
本発明のワイヤーハーネスは、自動車用ワイヤーハーネスとして好適に用いることができる。
【実施例】
【００５３】
以下、本発明の実施例、比較例を示す。本発明はこれら実施例に限定されるものではない。
【００５４】
実施例１
複数の素線からなる導体の素線の一部を銅から鉄に変更し、導体２をポリエチレンからなる絶縁体３で被覆したポリエチレン被覆電線１を２１本用いた。また結束材５として、ネオジウム鉄からなる磁石（φ１０ｍｍ×３０ｍｍ）を用いた。図１に示すように結束材５の周囲に上記ポリエチレン被覆電線１を配置してワイヤーハーネス１０を構成した。上記ポリエチレン被覆電線１の比透磁率は１０であった。このワイヤーハーネスの磁石の結束材５により結束されていて、その電線結束性は良好であった。
【００５５】
比較例１
実施例１のポリエチレン被覆電線の導体を全て銅線に変えた絶縁電線を準備した。上記電線の比透磁率は１であった。この電線を用いて実施例１と同様にして磁石の結束材５を用いてワイヤーハーネスを構成しようとしたが、電線を結束することができず、電線結束性が不良であった。
【符号の説明】
【００５６】
１  強磁性絶縁電線
２  強磁性体からなる導体
３  絶縁体
５  磁石からなる結束材
１０  ワイヤーハーネス
【図１】
0005527276.tif 000002
【図２】
0005527276.tif 000003
【図３】
0005527276.tif 000004
【図４】
0005527276.tif 000005
【図５】
0005527276.tif 000006
【図６】
0005527276.tif 000007
【図７】
0005527276.tif 000008
【図８】
0005527276.tif 000009
【図９】
0005527276.tif 000010